【手続補正書】
【提出日】平成24年2月16日(2012.2.16)
【手続補正１】
【補正対象書類名】特許請求の範囲
【補正対象項目名】全文
【補正方法】変更
【補正の内容】
【特許請求の範囲】
【請求項１】
遊技盤の裏面側に配設され、複数の識別情報を変動表示する変動表示ゲームを実行可能な表示部を有する変動表示装置と、遊技盤の表面に形成される遊技領域に臨むように配設され、前記変動表示装置の表示部を視認可能とする開口部を有する包囲枠体と、前記変動表示ゲームに関連して所定の演出動作を行う演出動作装置と、前記演出動作装置による演出を制御する演出制御手段と、を備え、所定の始動条件が成立した時に前記変動表示ゲームを実行する遊技機において、
前記演出動作装置は、
非可動式の発光演出部を発光させることで発光演出を行う発光演出装置と、
第１可動演出部を移動させることで動作演出を行う第１可動演出装置と、
前記第１可動演出部よりも移動量が大きい第２可動演出部を移動させることで動作演出を行う第２可動演出装置と、を備え、
前記発光演出部、前記第１可動演出部、前記第２可動演出部の順番で、前記包囲枠体の前記開口部の内周に沿って配設され、
前記第１可動演出部は、初期位置と、初期位置よりも前記表示部の中央寄りの位置との間で移動するように構成され、
前記第２可動演出部は、初期位置と、初期位置よりも前記表示部の中央寄りの位置との間で移動するように構成され、
前記第１可動演出部と前記第２可動演出部とは、前記表示部の前方で移動範囲が重なるよう設定されてなり、
前記演出制御装置は、前記変動表示ゲームの進行状態に応じて、前記発光演出装置、前記第１可動演出装置、前記第２可動演出装置の順番で演出動作を実行させるよう構成され、
前記第１可動演出装置の演出動作に続いて前記第２可動演出装置に演出動作を行わせる場合には、前記第１可動演出装置の第１可動演出部を初期位置に移動させてから前記第２可動演出装置の第２可動演出部を移動させるよう制御する、
ことを特徴とする遊技機。
【請求項２】
前記発光演出部、前記第１可動演出部、及び前記第２可動演出部は、前記包囲枠体の前記開口部の内周に沿って下方から上方に順次配設され、
前記第１可動演出部は、前記発光演出部の形状よりも大きく、前記開口部の側部に設定された初期位置から前記表示部の中央寄りの位置に向けてスライド移動するよう構成され、
前記第２可動演出部は、前記第１可動演出部の形状よりも大きく、前記開口部の上部に設定された初期位置から前記表示部の中央寄りの位置に向けて回動するよう構成されている、
ことを特徴とする請求項１に記載の遊技機。
【請求項３】
前記第１可動演出装置は、駆動源の駆動力に基づいて前記第１可動演出部をスライド移動させる駆動機構を備え、
前記第１可動演出部は、
本体部と、該本体部に揺動可能に配設される揺動部と、
当該第１可動演出部のスライド移動に応じて前記揺動部を揺動させる揺動機構と、を備え、
前記揺動部は、基端部に軸部を形成し、
前記揺動機構は、
回動自在に軸支されるとともに、一端に前記揺動部の前記軸部に回転自在に係合する係合部を形成し、他端に軸部を形成するアームと、
前記アームの前記軸部が摺動自在に係合するとともに、波状に延設された波状ガイド溝と、を備え、
前記駆動源の駆動力が前記第１可動演出部をスライド移動させることによって、前記アームの前記軸部を前記波状ガイド溝に沿って移動させ、前記アームを介して前記揺動部が揺動するようにした、
ことを特徴とする請求項２に記載の遊技機。
【請求項４】
前記演出制御装置は、
前記変動表示ゲームの開始直前に前記発光演出装置による発光演出を実行し、
前記変動表示ゲームにおいて複数の識別情報が変動している場合に前記第１可動演出装置による動作演出を実行し、
前記変動表示ゲームにおいてリーチ状態となった場合に前記第２可動演出装置による動作演出を実行する、
ことを特徴とする請求項２又は請求項３に記載の遊技機。
【手続補正２】
【補正対象書類名】明細書
【補正対象項目名】０００７
【補正方法】変更
【補正の内容】
【０００７】
第１の発明は、遊技盤の裏面側に配設され、複数の識別情報を変動表示する変動表示ゲームを実行可能な表示部を有する変動表示装置と、遊技盤の表面に形成される遊技領域に臨むように配設され、前記変動表示装置の表示部を視認可能とする開口部を有する包囲枠体と、前記変動表示ゲームに関連して所定の演出動作を行う演出動作装置と、前記演出動作装置による演出を制御する演出制御手段と、を備え、所定の始動条件が成立した時に前記変動表示ゲームを実行する遊技機において、前記演出動作装置は、非可動式の発光演出部を発光させることで発光演出を行う発光演出装置と、第１可動演出部を移動させることで動作演出を行う第１可動演出装置と、前記第１可動演出部よりも移動量が大きい第２可動演出部を移動させることで動作演出を行う第２可動演出装置と、を備え、前記発光演出部、前記第１可動演出部、前記第２可動演出部の順番で、前記包囲枠体の前記開口部の内周に沿って配設され、前記第１可動演出部は、初期位置と、初期位置よりも前記表示部の中央寄りの位置との間で移動するように構成され、前記第２可動演出部は、初期位置と、初期位置よりも前記表示部の中央寄りの位置との間で移動するように構成され、前記第１可動演出部と前記第２可動演出部とは、前記表示部の前方で移動範囲が重なるよう設定されてなり、前記演出制御装置は、前記変動表示ゲームの進行状態に応じて、前記発光演出装置、前記第１可動演出装置、前記第２可動演出装置の順番で演出動作を実行させるよう構成され、前記第１可動演出装置の演出動作に続いて前記第２可動演出装置に演出動作を行わせる場合には、前記第１可動演出装置の第１可動演出部を初期位置に移動させてから前記第２可動演出装置の第２可動演出部を移動させるよう制御する、ことを特徴とする。
【手続補正３】
【補正対象書類名】明細書
【補正対象項目名】０００８
【補正方法】変更
【補正の内容】
【０００８】
第２の発明は、前記発光演出部、前記第１可動演出部、及び前記第２可動演出部は、前記包囲枠体の前記開口部の内周に沿って下方から上方に順次配設され、前記第１可動演出部は、前記発光演出部の形状よりも大きく、前記開口部の側部に設定された初期位置から前記表示部の中央寄りの位置に向けてスライド移動するよう構成され、前記第２可動演出部は、前記第１可動演出部の形状よりも大きく、前記開口部の上部に設定された初期位置から前記表示部の中央寄りの位置に向けて回動するよう構成されている、ことを特徴とする。
【手続補正４】
【補正対象書類名】明細書
【補正対象項目名】０００９
【補正方法】変更
【補正の内容】
【０００９】
第３の発明は、前記第１可動演出装置は、駆動源の駆動力に基づいて前記第１可動演出部をスライド移動させる駆動機構を備え、前記第１可動演出部は、本体部と、該本体部に揺動可能に配設される揺動部と、当該第１可動演出部のスライド移動に応じて前記揺動部を揺動させる揺動機構と、を備え、前記揺動部は、基端部に軸部を形成し、前記揺動機構は、回動自在に軸支されるとともに、一端に前記揺動部の前記軸部に回転自在に係合する係合部を形成し、他端に軸部を形成するアームと、前記アームの前記軸部が摺動自在に係合するとともに、波状に延設された波状ガイド溝と、を備え、前記駆動源の駆動力が前記第１可動演出部をスライド移動させることによって、前記アームの前記軸部を前記波状ガイド溝に沿って移動させ、前記アームを介して前記揺動部が揺動するようにした、ことを特徴とする。
【手続補正５】
【補正対象書類名】明細書
【補正対象項目名】００１０
【補正方法】変更
【補正の内容】
【００１０】
第４の発明は、前記演出制御装置は、前記変動表示ゲームの開始直前に前記発光演出装置による発光演出を実行し、前記変動表示ゲームにおいて複数の識別情報が変動している場合に前記第１可動演出装置による動作演出を実行し、前記変動表示ゲームにおいてリーチ状態となった場合に前記第２可動演出装置による動作演出を実行する、ことを特徴とする。
【手続補正６】
【補正対象書類名】明細書
【補正対象項目名】００１１
【補正方法】削除
【補正の内容】
【手続補正７】
【補正対象書類名】明細書
【補正対象項目名】００１２
【補正方法】削除
【補正の内容】
【手続補正８】
【補正対象書類名】明細書
【補正対象項目名】００１３
【補正方法】変更
【補正の内容】
【００１３】
第１の発明によれば、包囲枠体の開口部の内周に沿って発光演出部、第１可動演出部、第２可動演出部を順番に配設し、変動表示ゲームの進行状態に応じて、発光演出部による発光演出、第１可動演出部による動作演出、第１可動演出部よりも移動量の大きい第２可動演出部による動作演出を順次行い、表示部の前方で移動範囲が重なる第１可動演出部の演出動作に続いて第２可動演出部に演出動作を行わせる場合には、第１可動演出部を初期位置に移動させてから第２可動演出部を移動させる。このように変動表示ゲームの進行状態に応じてそれぞれ異なる演出を行うので、変動表示ゲームに対する遊技者の期待度が一様となるのを回避することが可能となり、また変動表示ゲームの進行状態に応じて遊技者の期待度を徐々に向上させていくことが可能となる。
【手続補正９】
【補正対象書類名】明細書
【補正対象項目名】００１４
【補正方法】変更
【補正の内容】
【００１４】
第２の発明によれば、発光演出部、第１可動演出部、第２可動演出部の順番で形状が大きくなり、第１可動演出部がスライド移動するのに対し、第２可動演出部が回動するため、発光演出部による発光演出よりも第１可動演出部による動作演出が目立ち、第１可動演出部の動作演出よりも第２可動演出部による動作演出が目立つようになる。したがって、変動表示ゲームが進行するほど演出効果の高い演出を行うことが可能となり、遊技者の期待度をさらに向上させることができる。
【手続補正１０】
【補正対象書類名】明細書
【補正対象項目名】００１５
【補正方法】変更
【補正の内容】
【００１５】
第３の発明によれば、１つの駆動源で第１可動演出部のスライド移動と揺動部の揺動の異なる動作演出を同時に行うことが可能となる。したがって、簡便な構造で、第１可動演出部での演出効果を高めることが可能となる。
【手続補正１１】
【補正対象書類名】明細書
【補正対象項目名】００１６
【補正方法】変更
【補正の内容】
【００１６】
第４の発明によれば、変動表示ゲームの結果が特別結果（大当たり）に近づくほど、包囲枠体の下方から上方に向かって異なる演出が実行されるので、変動表示ゲームに対する遊技者の期待度をさらに向上することが可能となる。
【手続補正１２】
【補正対象書類名】明細書
【補正対象項目名】００１７
【補正方法】削除
【補正の内容】
【手続補正１３】
【補正対象書類名】明細書
【補正対象項目名】００１８
【補正方法】削除
【補正の内容】
【手続補正１４】
【補正対象書類名】明細書
【補正対象項目名】０１３４
【補正方法】変更
【補正の内容】
【０１３４】
図１１（Ａ）及び図１１（Ｂ）に示すように、可動演出部８０を初期位置から下限位置まで移動させる場合には、図１１（Ａ）の状態から駆動機構９０のモータ９１を駆動して、主動ギア９３を反時計回りに回転させる。主動ギア９３が反時計回りに回転すると、従動ギア９４が時計周りに回転し、従動ギア９４の偏心軸９４ｂも回転軸９４ａを中心に時計回りに旋回する。偏心軸９４ｂが時計回りに旋回すると、図１１（Ｂ）に示すように、アーム９６の軸部９６ａが上部ベース７１のガイド溝７１ｂに沿って、モータ９１から離間する方向に移動する。これにより、リンク部材９８のアーム部９８ｂの先端が、挿通部９８ａを回転軸として時計回りに旋回する。このようにアーム部９８ｂの先端が旋回すると、リンク部材９８の挿通部９８ａに固定された円筒部７３が時計周りに回転する。これにより、可動演出部８０が初期位置から下限位置まで回動する。